(57)【要約】【課題】紙葉に描かれた移動するはずのない絵が移動するように見せる手品を簡単に行う為の手品具を提供する。【解決手段】表面開口となる第一開口窓及び第二開口窓と、左右両側を貫通し紙葉を挿入可能とする紙葉挿入口と、開口を備えたスライド板を摺動可能として、上下両側にスライド板を貫通させるスライド板用開口とを備えたケースと、前記スライド板の裏面に位置し、前記スライド板の開口を遮蔽するように摺動可能とし、挿入される紙葉に描かれた絵の一部を模して表示し、前記開口より大とされるタネ板とを有する。【選択図】図１
2008073230.tif 000002
【特許請求の範囲】
【請求項１】
表面開口となる第一開口窓及び第二開口窓と、左右両側を貫通し紙葉を挿入可能とする紙葉挿入口と、開口を備えたスライド板を摺動可能として、上下両側にスライド板を貫通させるスライド板用開口とを備えたケースと、前記スライド板の裏面に位置し、前記スライド板の開口を遮蔽するように摺動可能とし、挿入される紙葉に描かれた絵の一部を模して表示し、前記開口より大とされるタネ板とを備えたことを特徴とした手品具。
【請求項２】
請求項１において、前記スライド板及びタネ板は、弾性変形可能とし、前記ケースのスライド板用開口内には、凸部を形成し、前記タネ板の裏面には、前記凸部を係合する係止穴を備えたことを特徴とした手品具。
【請求項３】
請求項１又は２において、前記スライド板の両端部は、スライド板用開口に係合する係合部を有していることを特徴とした手品具。
【発明の詳細な説明】
【技術分野】
【０００１】
本発明は、紙葉を用いたトリックを見せる手品具に関するものである。
【背景技術】
【０００２】
従来、紙葉となる紙幣やカード類を用いたトリックを見せる手品具には、特開２００５−８０７５４号公報「カード類トリック手品具」があった。これは、紙幣やカード類を使う手品具であって、モアレ現象により作り出された三次元模様によって奥行きを感じさせる効果を有する特殊板と、透明部分と不透明部分とからなるフィルムとを備え、箱の中に差し込まれた紙幣やカード類の上をフィルムが移動することによって、観客の目の前で差し込まれたカードなどを少しずつ消失させたり、消失部分を目の前で少しずつ出現させたりし、錯覚を観客に与えられるようにしたものである。
【０００３】
このように上述の手品具では、紙幣やカードを用いて、紙幣が出現したり、消失したりするものであり、出現させたり、消失させたりする理由を見る者に理解させないようにして、不思議に思わせることにより、手品を行うことができるものであった。
【特許文献１】特開２００５−８０７５４号公報
【発明の開示】
【発明が解決しようとする課題】
【０００４】
そこで、本発明は、上記従来技術に斯かる実情に鑑みなされたもので、紙葉に描かれた移動するはずのない絵が移動するように見せる手品を簡単に行う為の手品具を提供することを課題とする。
【課題を解決するための手段】
【０００５】
請求項１記載の発明は、表面開口となる第一開口窓及び第二開口窓と、左右両側を貫通し紙葉を挿入可能とする紙葉挿入口と、開口を備えたスライド板を摺動可能として、上下両側にスライド板を貫通させるスライド板用開口とを備えたケースと、前記スライド板の裏面に位置し、前記スライド板の開口を遮蔽するように摺動可能とし、挿入される紙葉に描かれた絵の一部を模して表示し、前記開口より大とされるタネ板とを備えたことを特徴とする。
【０００６】
請求項２記載の発明は、請求項１において、前記スライド板及びタネ板は、弾性変形可能とし、前記ケースのスライド板用開口内には、凸部を形成し、前記タネ板の裏面には、前記凸部を係合する係止穴を備えたことを特徴とする。
【０００７】
請求項３記載の発明は、請求項１又は２において、前記スライド板の両端部は、スライド板用開口に係合する係合部を有していることを特徴とする。
【発明の効果】
【０００８】
本発明によれば、紙葉に描かれた移動するはずのない絵が移動するように見せる手品を簡単に行う為の手品具を提供することができる。
【０００９】
例えば、ケースの紙葉挿入口に紙葉としての千円札紙幣などを差込むと、ケースの紙葉挿入口の両端から紙葉が出ている状態となる。その後、使用者は、スライド板を適宜に操作して、タネ板が、スライド板の開口を覆うように移動させスライド板を上下させると、開口窓からは、タネ板に表示された肖像画を模した絵を見せることができ、恰も紙幣に描かれた肖像画が、上下に移動するように見せる手品を行うことができる。
【００１０】
また、観客に対して紙葉に描かれた移動するはずのない絵が移動するように見せるトリックを、熟練者でなくても簡単に見せる手品を行うことができる手品具とすることができるものである。
【発明を実施するための最良の形態】
【００１１】
表面開口となる開口窓と、左右両側を貫通し紙葉を挿入可能とする紙葉挿入口と、開口を備えたスライド板を摺動可能とし、上下両側を貫通するスライド板用開口とを備えたケースと、前記スライド板の裏面に位置し、前記スライド板の開口を遮蔽するように摺動可能とし、挿入される紙葉に描かれた絵の一部を模して表示し、前記開口より大とされるタネ板とを備えたものである。また、前記スライド板及びタネ板は、弾性変形可能とし、前記ケースのスライド板用開口内には、凸部を形成し、前記タネ板の裏面には、前記凸部を係合する係止穴を形成するものであり、さらに、前記ケースは、前記開口窓を前記ケースの中央近傍で第一開口窓と第二開口窓とに分ける中央桟部を備え、前記スライド板の開口は、前記ケースの表面開口である第一開口窓及び第二開口窓よりも僅かに小さく、前記ケースは裏面にも開口を形成し、スライド板の両端に係合部を設けてスライド板がケースから抜けないようにするものである。
【実施例１】
【００１２】
以下、図を参照して、本発明を適用した実施の形態について説明する。図１を用いて手品具１０について説明する。手品具１０は、ケース２６と、このケース２６に収容されるスライド板１２及びタネ板２２となる部品で構成されている。また、この手品具１０を実施にするにあたり、別途、様々なカード類及び紙幣などの紙葉を用いて使用するものである。この実施例においては、紙葉として千円札紙幣４８を使用した例として説明する。
【００１３】
この手品具１０を使用した手品の概要は、ケース２６に挿入された紙葉に描かれた移動するはずのない絵が、上下に移動するように見せる手品を行うことができるものである。
【００１４】
まず、手品具１０の構成となる部品について説明する。最初に、図２及び図３を用いてケース２６の説明を行う。ケース２６は、不透明の樹脂素材で形成され、ケース上部部材３６、ケース下部部材２８からなる。
【００１５】
まずケース下部部材２８の説明を行う。ケース下部部材２８は、薄板方形状に形成され、ケース下部部材２８の中央近傍で長手方向の両側に方形状に開口となる底面開口３０が形成されている。また、一方の短辺近傍には、後述するタネ板２２に形成された係止穴２４と係合する薄肉円盤状の凸部３４が形成されている。また、他方の短辺近傍には、後述するスライド板１２の短辺の長さよりも僅かに短い幅で、ケース下部部材２８の長手方向と平行に２本の線条３２が形成されている。
【００１６】
次に、ケース上部部材３６は、厚肉方形状で、短手方向に切断した断面形状を台形形状とした形に形成されている。また、このケース上部部材３６の表面には、方形状の開口が形成されている。また、この開口には、ケース２６の中央近傍で該開口を２つに分割する細い棒状体となる中央桟部４２が形成され、該開口は、ケース上部部材３６の上方に位置する第一開口窓３８とケース上部部材３６の下方に位置する第二開口窓４０との２つに分割されている。この中央桟部４２は、使用者が、スライド板１２を操作している時に、スライド板１２の開口１４からタネ板２２の端部が見えないように隠す働きを有しているものである。
【００１７】
そして、ケース上部部材３６の裏面には、それぞれの端辺まで接続される十字状の凹部が形成されており、ケース上部部材３６の上下方向の凹部は、左右方向の凹部よりも深く形成されている。また、ケース上部部材３６とケース下部部材２８を係合された時に、この凹部によってそれぞれ開口が形成され、ケース２６の上下方向の開口は、スライド板１２が摺動するための開口となるスライド板用開口４６が形成され、ケース２６の左右方向の開口は、紙葉を挿入するための開口となる紙葉挿入口４４が形成されるものである。
【００１８】
また、ケース上部部材３６と、ケース下部部材２８を係合させると、図３の如く、ケース上部部材３６の凹部と、ケース下部部材２８の線条３２が係合するようになっている。また、この線条３２と、ケース上部部材３６の凹部との隙間は、スライド板１２の厚みとなる長さより僅かに長いようになっている。さらに、この線条３２によって、スライド板１２は、ケース２６の表面側の位置で、上下に摺動可能とされ、紙葉挿入口４４から挿入された紙葉は、ケース２６の裏面側の位置に挿入されるようになっている。つまり、スライド板１２は、挿入される紙葉よりも上方に位置している。
【００１９】
次に、図４を用いてスライド板１２の説明を行う。図４（Ａ）及び図４（Ｂ）は、スライド板１２の裏面側を示す斜視図面である。スライド板１２は、不透明の樹脂素材で薄肉方形状に形成され、その中央近傍には、第一開口部３８や第二開口部４０より僅かに小さい楕円状の開口１４が形成されている。また、スライド板１２の短手方向の両辺には、四角柱状に形成された四角柱部１６が設けられ、これはスライド板１２が、ケース２６内に埋没することを防止して、このスライド板１２がケース２６の上方にも下方にも抜けないようにするものである。また、スライド板１２の裏面には、タネ板２２を摺動可能とするための方形状の凹部であって、該開口１４を含む中央近傍から長手方向の一方の端辺まで延びる摺動凹部１８が形成されている。また、この摺動凹部１８の長手方向の両辺には、三角形状の溝２０が形成されており、この溝２０を用いて、後述するタネ板２２が摺動可能に係止される。
【００２０】
また、図示しないがスライド板１２の開口１４の両側には、絵が表示されており、実施例では、開口１４の一方には、「シルクハット」の絵が表示され、他方には、「ステッキを把持したマジシャン」の胴体部の絵が表示されている。これにより、スライド板１２に形成された開口１４内に、人物の肖像画などが見えるように配置すると、配置された人物が、まるでマジシャンになったように見せることができ、手品具１０としての趣向を高めることができるものである。
【００２１】
次に、タネ板２２を説明する。タネ板２２は、不透明の樹脂素材で薄肉方形状に形成され、タネ板２２の長手方向の両辺は、三角形状に面取り加工されている。また、タネ板２２の短手方向の一方の短辺近傍には、ケース２６に形成された凸部３４を係合する係止穴２４が形成されている。また、タネ板２２の上面側には、予め挿入する紙葉に描かれた絵の一部を模した絵が表示されている。そして、このタネ板２２は、スライド板１２の裏面に位置する摺動凹部１８に摺動自在に係止され、タネ板２２が、スライド板１２中央方向に摺動すると、タネ板２２は、スライド板１２に形成された開口１４を遮蔽するように覆うようになる。また、タネ板２２が、スライド板１２の端部方向に摺動すると、スライド板１２に形成された開口１４からは、タネ板２２は全く見えない状態となるものである。
【００２２】
次に、図５及び図６を用いて、手品具１０の動きについて説明する。この手品具１０は、スライド板１２を表面方向や裏面方向に反らし、スライド板１２を挿入したり引き出したりすることによって、タネ板２２の移動を制御し、スライド板１２に形成された開口１４を介してケース２６に形成された第一開口窓３８や第二開口窓４０から、千円札紙幣４８の肖像画を模して表示したタネ板２２が見えるように操作するものである。
【００２３】
まず、この手品具１０の初期状態となる図５（Ａ）は、ケース２６の上方からスライド板１２の一部が突出した状態とし、また、タネ板２２をスライド板１２の裏面の摺動凹部１８の四角柱部１６方向となる端部に位置させ、スライド板１２のほぼ中央に形成された楕円形状の開口１４から、タネ板２２が見えないようになっている。
【００２４】
次に、スライド板１２を図５（Ｂ）に示すようにケース２６とスライド板１２に形成された四角柱部１６が当接する位置まで摺動させ挿入すると、スライド板１２の裏面に位置するタネ板２２も同時に移動するようになり、タネ板２２は、第一開口窓３８の直下に移動することになる。また、この時のスライド板１２に対するタネ板２２の位置は、摺動凹部１８の四角柱部１６方向となる端部に変わらず位置している。尚、図５（Ａ）の状態から図５（Ｂ）の状態となるようにスライド板１２を挿入すると、タネ板２２の係止穴２４の直下に、ケース下部部材２８に形成された凸部３４が位置するようになる。
【００２５】
次に、上述した図５（Ｂ）の状態からスライド板１２を裏面方向に反らした状態にすると、図５（Ｃ）に示すようにタネ板２２に形成された係止穴２４と、その直下に位置するケース下部部材２８に形成された凸部３４の先端とが係合し、タネ板２２は、ケース２６に係止される。この状態から、スライド板１２を引き戻すように摺動させると、図６（Ａ）に示すように、ケース２６に係止されたタネ板２２は、ケース２６に対しては、その位置を維持したままであるが、引き戻すように摺動させたスライド板１２に対しては、そのスライド板１２の中央に形成された開口１４を覆う位置となる中央方向へと移動するようになる。この時点で、スライド板１２に形成された開口１４を介してケース２６に形成された第一開口窓３８からは、挿入される紙葉に描かれた絵の一部となる絵を模して表示されたタネ板２２が見えるようになる。
【００２６】
また、この図５（Ｃ）の状態から図６（Ａ）の状態に移行する際、つまりタネ板２２をケース２６の凸部３４に係合させた状態（スライド板１２を裏面方向へ反らした状態）で、スライド板１２を上下に移動させた時に、スライド板１２に形成された開口１４からタネ板２２の端部が、ケース２６のケース上部部材３６に形成された中央桟部４２によって隠され、観客に見えないようにしているものである。
【００２７】
次に、上述した図６（Ａ）の状態から、スライド板１２を、表面方向へ反らしたり、裏面方向へ反らすことを中断したりすることによって、図６（Ｂ）に示すようにタネ板２２に形成された係止穴２４とケース下部部材２８に形成された凸部３４の係合状態が解除されるものである。
【００２８】
次に、スライド板１２を挿入するように摺動させると、スライド板１２の移動に伴って、図６（Ｃ）に示すようにタネ板２２も同様に移動するようになる。つまり、スライド板１２の移動に伴って、スライド板１２の開口１４からタネ板２２の絵が見える状態で、タネ板２２と同時に移動することによって、観客に対して、紙葉に描かれた移動するはずのない絵が、第一開口窓３８や第二開口窓４０を介して上下に移動するように見せることができるようになる。
【００２９】
次に、手品具１０を復帰させる手順を説明する。図６（Ｃ）の状態からスライド板１２を引き出すと、スライド板１２の移動に伴って、タネ板２２も同様に移動するようになる。つまり、図６（Ｂ）に示すように第一開口窓３８から、つまりスライド板１２の開口１４を介して、タネ板２２の絵が見える状態となる。その後、スライド板１２を裏面方向に反らした状態にすると、図６（Ａ）に示すようにタネ板２２に形成された係止穴２４と、その直下に位置するケース下部部材２８に形成された凸部３４の先端とが係合し、タネ板２２は、ケース２６に係止される。このスライド板１２を裏面方向に反らした状態で、図５（Ｃ）に示すようにスライド板１２を挿入すると、スライド板１２は、下方へと移動するものの、タネ板２２の位置は、第一開口窓３８の直下に維持される。
【００３０】
次に、図５（Ｃ）のスライド板１２を裏面方向に反らした状態から、スライド板１２の裏面方向へ反らした状態を解除すると、図５（Ｂ）に示すようにタネ板２２に形成された係止穴２４とケース下部部材２８に形成された凸部３４の係合状態が解除される。図５（Ｂ）の状態から、スライド板１２を引き出しすると、タネ板２２も同時に移動し、手品具１０の初期状態へと戻すようすることができるものである。
【００３１】
次に、図７〜図９を用いて、この手品具１０の使用例を説明する。この実施例は、紙葉として千円札紙幣４８を利用した例であり、千円札紙幣４８に描かれた移動するはずのない肖像画を、移動するように見せる手品である。
【００３２】
まず、この手品を行う為の準備として、タネ板２２に千円札紙幣４８に描かれた絵の一部となる肖像画の部分を模して表示し、図７（Ａ）に示すようにタネ板２２をスライド板１２の摺動凹部１８の端部に位置させ、スライド板１２のほぼ中央に形成された楕円形状の開口１４から、タネ板２２が見えないようにする（図５（Ａ）参照）。
【００３３】
次に、この手品を行う場合には、上述した手品具１０の他に紙葉として千円札紙幣４８を１枚用意する。
【００３４】
次に、図７（Ｂ）に示すように用意した紙葉となる千円札紙幣４８を、ケース２６の左右両側に形成された紙葉挿入口４４のいずれか一方から、千円札紙幣４８に描かれた肖像画が上となるように差し込む。また、紙葉は、ケース２６の両側より紙葉の一部が突出した状態、且つ、スライド板１２に形成された開口１４を介してケース２６に形成された第一開口窓３８から、差し込まれた千円札紙幣４８の肖像画が見える状態にする。
【００３５】
次に、図８（Ａ）及び図８（Ｂ）に示すように使用者は、スライド板１２を上下に動かすようにする。この時、スライド板１２の裏面に位置するタネ板２２も同時に移動するようになる。これにより、タネ板２２は、第一開口窓３８の直下に移動することになる（図５（Ｃ）参照）。
【００３６】
また、この時、スライド板１２に形成された開口１４を介してケース２６に形成された第二開口窓４０からは、千円札紙幣４８に描かれた肖像画の胸部が見える。
【００３７】
次に、スライド板１２を下方から上方へと復帰させる際に、スライド板１２を裏面方向に反らせ弾性変形させながら引いて戻す。これにより、スライド板１２の裏面に位置するタネ板２２も同様に弾性変形し、タネ板２２に形成された係止穴２４と、ケース２６の内部に形成された凸部３４が係合するため、タネ板２２の位置は復帰されず、そのまま位置に固定される。つまり、スライド板１２に形成された開口１４の直下に、タネ板２２が位置することになる。これにより、スライド板１２に形成された開口１４を介してケース２６に形成された第一開口窓３８から、千円札紙幣の肖像画を模して表示したタネ板２２が見えるようになる（図６（Ｂ）参照）。このようにすることによって、観客に気がつかれずに、千円札紙幣の肖像画をすり替えることができる。
【００３８】
次に、使用者は、スライド板１２を表面方向に反らせ弾性変形させながら上下に動かす（図６（Ｃ）参照）。こうすることによって、タネ板２２の係止穴２４とケース２６の内部に形成された凸部３４との係合が解除され、タネ板２２も同時に移動するようになる。したがって、スライド板１２に形成された開口１４を介してケース２６に形成された第一開口窓３８や第二開口窓４０からは、図９（Ａ）に示すようにタネ板２２に表示された千円札紙幣の肖像画を模した絵が上下に移動するように見えるようになり、観客に対して不思議さを感じさせることができる。
【００３９】
最後に、スライド板１２を裏面方向に反らして弾性変形させながら、スライド板１２を挿入すると、スライド板１２の裏面に位置するタネ板２２も同様に弾性変形し、タネ板２２に形成された係止穴２４とケース２６の内部に形成された凸部３４が係合するため、タネ板２２は移動せずに、その場に残る（図５（Ｃ）参照）。このようにすると、スライド板１２に形成された開口１４を介してケース２６に形成された第二開口窓４０からは、図９（Ｂ）に示すように千円札紙幣４８に描かれた肖像画の胸部が再び見えるようになる。
【００４０】
次に、スライド板１２を表面方向に反らして引いて戻すと、タネ板２２の係止穴２４とケース２６の内部に形成された凸部３４との係合が解除され、タネ板２２も同時に移動するようになる（図５（Ａ）参照）。これにより、スライド板１２に形成された開口１４を介してケース２６に形成された第一開口窓３８からは、挿入された千円札紙幣４８の肖像画が見えるようになる。
【００４１】
以上説明したように構成することにより、紙葉に描かれた移動するはずのない絵が移動するように見せる手品を簡単に行う為の手品具を提供することができる。また、好ましい実施例を挙げて本発明を説明したが、本発明はその実施例に限定されるものではなく、本発明の要旨の範囲内で種々に改変できる。
【図面の簡単な説明】
【００４２】
【図１】本発明に係る手品具の外観を示す図である。
【図２】本発明に係る手品具のケースの分解斜視図面である。
【図３】本発明に係る手品具のケースの斜視図面である。
【図４】本発明に係る手品具のスライド板の裏面を示す斜視図面である。
【図５】本発明に係る手品具の動きを示す断面図である。
【図６】本発明に係る手品具の動きを示す断面図である。
【図７】本発明に係る手品具の使用例を示す図である。
【図８】本発明に係る手品具の使用例を示す図である。
【図９】本発明に係る手品具の使用例を示す図である。
【符号の説明】
【００４３】
１０    手品具
１２    スライド板
１４    開口
１６    四角柱部
１８    摺動凹部
２０    溝
２２    タネ板
２４    係止穴
２６    ケース
２８    ケース下部部材
３０    底面開口
３２    線条
３４    凸部
３６    ケース上部部材
３８    第一開口窓
４０    第二開口窓
４２    中央桟部
４４    紙葉挿入口
４６    スライド板用開口
４８    千円札紙幣
【図１】
2008073230.tif 000003
【図２】
2008073230.tif 000004
【図３】
2008073230.tif 000005
【図４】
2008073230.tif 000006
【図５】
2008073230.tif 000007
【図６】
2008073230.tif 000008
【図７】
2008073230.tif 000009
【図８】
2008073230.tif 000010
【図９】
2008073230.tif 000011